(57)【要約】【課題】受信原稿を画像解析し、解析結果に応じて異なる画像を受信原稿に合成して印刷することにより、ユーザが受信原稿を容易に仕分けすることができるファクシミリ装置を提供する。【解決手段】通信回線を介してファクシミリデータを送受信する通信手段と、受信したファクシミリデータに基づいて生成される受信画像データを解析する解析手段と、前記受信画像データの解析結果に応じた装飾画像データを取得し、取得した前記装飾画像データと前記受信画像データとが合成された合成画像データを生成する合成画像データ生成手段と、前記合成画像データに基づいてプリントユニットに合成画像を印刷させる合成画像印刷手段と、を備えるファクシミリ装置。【選択図】図１
2007281835.tif 000002
【特許請求の範囲】
【請求項１】
通信回線を介してファクシミリデータを送受信する通信手段と、
受信したファクシミリデータに基づいて生成される受信画像データを解析する解析手段と、
前記受信画像データの解析結果に応じた装飾画像データを取得し、取得した前記装飾画像データと前記受信画像データとが合成された合成画像データを生成する合成画像データ生成手段と、
前記合成画像データに基づいてプリントユニットに合成画像を印刷させる合成画像印刷手段と、
を備えるファクシミリ装置。
【請求項２】
前記解析手段は、前記受信画像データに含まれる、送信原稿フォームの種別を識別するための識別マーク領域を識別情報に基づいて解析し、
前記合成画像データ生成手段は、前記識別マーク領域の解析結果に対応する前記装飾画像データを取得する、
請求項１に記載のファクシミリ装置。
【請求項３】
前記解析手段は、前記識別マーク領域の解析結果に対応する解析パターンを取得し、取得した前記解析パターンに基づいて、前記受信画像データの前記識別マーク領域外の解析対象領域を解析し、
前記合成画像生成手段は、前記解析対象領域の解析結果に対応する前記装飾画像データと前記受信画像データとを合成する、
請求項２に記載のファクシミリ装置。
【請求項４】
前記装飾画像データを入力し、前記識別情報と前記装飾画像データと前記解析パターンとの対応付けを入力するための入力手段をさらに備え、
前記解析手段は、対応付けされた前記識別情報と前記解析パターンに基づいて前記受信画像データを解析し、
前記合成画像データ生成手段は、対応付けされた前記装飾画像データと前記受信画像データとを合成する、
をさらに備える請求項３に記載のファクシミリ装置。
【請求項５】
送信原稿フォーム画像データ生成手段と、
送信原稿フォーム出力手段と、をさらに備え、
前記入力手段は、前記識別マーク領域以外の前記解析対象領域がレイアウトされた未識別送信原稿フォーム画像データを入力し、入力された前記未識別送信原稿フォーム画像データと、前記未識別送信原稿フォーム画像データの解析パターンと、前記装飾画像データと、前記識別情報と、の対応付けを入力し、
前記送信原稿フォーム画像データ生成手段は、前記未識別送信原稿フォームと対応付けられた前記識別情報に基づいて、前記識別マーク領域と前記未識別送信原稿フォーム画像データとが合成された送信原稿フォーム画像データを生成し、
前記送信原稿フォーム出力手段は、前記送信原稿フォーム画像データに基づいて前記プリントユニットに前記送信原稿フォームを印刷させる、
請求項４に記載のファクシミリ装置。
【請求項６】
前記送信原稿フォーム出力手段は、前記送信原稿フォーム画像データを前記通信手段に送信させる、
請求項５に記載のファクシミリ装置。
【発明の詳細な説明】
【技術分野】
【０００１】
本発明はファクシミリ装置に関する。
【背景技術】
【０００２】
従来、ファクシミリ装置は、通信教育の添削や、各種のアンケート回収等のためにも利用されている。特許文献１には、受信したアンケートの回答の画像データを解析し、予め設定されている集計終了条件（例えば、時刻制限：ＰＭ８：００まで、件数制限：先着１００名まで等）を満たすと自動的に集計し、集計結果レポートを印刷するファクシミリ装置が記載されている。このファクシミリ装置によると、集計結果レポートを指定された別のファクシミリ装置に送信することもできる。しかしながら、このファクシミリ装置によると、印刷された個々のアンケート用紙を人間が手作業で仕分けする必要がある場合、回答内容に応じてアンケート用紙を仕分けする作業は非常に面倒である。回答内容をいちいち読むことなく仕分けすることができれば、仕分けのための作業時間を短縮することができるし、人為的ミスの発生頻度も抑制することができる。
【０００３】
【特許文献１】特開平９−１７６４１７号公報
【発明の開示】
【発明が解決しようとする課題】
【０００４】
本発明は、受信原稿を画像解析し、解析結果に応じて異なる画像を受信原稿に合成して印刷することにより、ユーザが受信原稿を容易に仕分けすることができるファクシミリ装置を提供することを目的とする。
【課題を解決するための手段】
【０００５】
（１）上記目的を達成するためのファクシミリ装置は、通信回線を介してファクシミリデータを送受信する通信手段と、受信したファクシミリデータに基づいて生成される受信画像データを解析する解析手段と、前記受信画像データの解析結果に応じた装飾画像データを取得し、取得した前記装飾画像データと前記受信画像データとが合成された合成画像データを生成する合成画像データ生成手段と、前記合成画像データに基づいてプリントユニットに合成画像を印刷させる合成画像印刷手段と、を備える。
このファクシミリ装置によると、受信画像データの解析結果に応じて異なるテンプレートが受信画像データに合成されて印刷されるため、ユーザは印刷された受信原稿を容易に仕分けすることができる。
【０００６】
（２）上記目的を達成するためのファクシミリ装置において、前記解析手段は、前記受信画像データに含まれる、送信原稿フォームの種別を識別するための識別マーク領域を識別情報に基づいて解析してもよい。前記合成画像データ生成手段は、前記識別マーク領域の解析結果に対応する前記装飾画像データを取得してもよい。
このファクシミリ装置によると、受信画像データに含まれる識別マークに応じて異なる装飾画像データが受信画像データに合成されて印刷されるため、ユーザは印刷された受信原稿を容易に仕分けすることができる。
【０００７】
（３）上記目的を達成するためのファクシミリ装置において、前記解析手段は、前記識別マーク領域の解析結果に対応する解析パターンを取得し、取得した前記解析パターンに基づいて、前記受信画像データの前記識別マーク領域外の解析対象領域を解析してもよい。前記合成画像生成手段は、前記解析対象領域の解析結果に対応する前記装飾画像データと前記受信画像データとを合成してもよい。
このファクシミリ装置によると、識別マーク領域の解析結果に対応する解析パターンに基づいて識別マーク領域外の解析対象領域が解析され、その解析対象領域の解析結果に応じて異なる装飾画像データが受信画像データに合成されて印刷されるため、ユーザは印刷された受信原稿の内容をいちいち読んで確認しなくても、容易に受信原稿を仕分けすることができる。
【０００８】
（４）上記目的を達成するためのファクシミリ装置は、前記装飾画像データを入力し、前記識別情報と前記装飾画像データと前記解析パターンとの対応付けを入力するための入力手段をさらに備えてもよい。前記解析手段は、対応付けされた前記識別情報と前記解析パターンに基づいて前記受信画像データを解析してもよい。前記合成画像データ生成手段は、対応付けされた前記装飾画像データと前記受信画像データとを合成してもよい。
このファクシミリ装置によると、ユーザは装飾画像データを入力することができるため、任意の装飾画像データを受信画像データと合成させることができる。また、ユーザは装飾画像データと識別情報と解析パターンとの対応付けを入力することができため、受信画像データの解析結果に対応した任意の組み合わせで装飾画像データと受信画像データとを合成させ印刷させることができる。
【０００９】
（５）上記目的を達成するためのファクシミリ装置は、送信原稿フォーム画像データ生成手段と、送信原稿フォーム出力手段と、をさらに備えてもよい。前記入力手段は、前記識別マーク領域以外の前記解析対象領域がレイアウトされた未識別送信原稿フォーム画像データを入力し、入力された前記未識別送信原稿フォーム画像データと、前記未識別送信原稿フォーム画像データの解析パターンと、前記装飾画像データと、前記識別情報との対応付けを入力してもよい。前記送信原稿フォーム画像データ生成手段は、前記未識別送信原稿フォームと対応付けられた前記識別情報に基づいて、前記識別マーク領域と前記未識別送信原稿フォーム画像データとが合成された送信原稿フォーム画像データを生成してもよい。前記送信原稿フォーム出力手段は、前記送信原稿フォーム画像データに基づいて前記プリントユニットに前記送信原稿フォームを印刷させてもよい。
このファクシミリ装置によると、受信原稿の内容に応じて異なる装飾画像データを合成印刷することによって受信原稿を仕分けし易くする仕組みを利用するための、前準備となる送信原稿フォームを作成し印刷することができる。
【００１０】
（６）上記目的を達成するためのファクシミリ装置において、前記送信原稿フォーム出力手段は、前記送信原稿フォーム画像データを前記通信手段に送信させてもよい。
このファクシミリ装置によると、受信原稿の内容に応じて異なる装飾画像データを合成印刷することによって受信原稿を仕分けし易くする仕組みを利用するための、前準備となる送信原稿フォームを作成し、通信手段を介して配布することができる。
【００１１】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。また、本発明は装置の発明として特定できるだけでなく、プログラムの発明としても、そのプログラムを記録した記録媒体の発明としても、方法の発明としても特定することができる。
【発明を実施するための最良の形態】
【００１２】
以下、実施例に基づいて本発明の実施の形態を説明する。
図２は、本発明によるファクシミリ装置が適用された適用されたマルチファンクションプリンタ（ＭＦＰ）１を示すブロック図である。ＭＦＰ１は、印刷機能、複写機能、スキャン機能及びファクシミリ機能を有する。
【００１３】
解析手段、合成画像データ生成手段、合成画像印刷手段、送信原稿フォーム画像データ生成手段及び送信原稿フォーム出力手段としてのＣＰＵ１０は、フラッシュメモリ１２に格納されているプログラムを実行することによりＭＦＰ１の各部を制御する。プログラムは、所定のサーバからのネットワークを介したダウンロード、リムーバブルメモリ２８等のコンピュータ読み取り可能な記憶媒体からの読み出し等によってフラッシュメモリ１２に格納することもできる。フラッシュメモリ１２は不揮発性の記憶媒体である。
ＲＡＭ１４は、制御プログラムやＣＰＵ１０の処理対象データや画像データが一時的に格納されるＳＤＲＡＭなどの揮発性の記憶媒体である。
【００１４】
ＬＣＤユニット１６は、図示しない液晶パネル及びその駆動回路を備える。
入力手段としての操作ユニット２７は、ＭＦＰ１に印刷要求、ファクシミリ送信要求、スキャン要求等のユーザからの要求を入力するための複数のキーを備えている。
入力手段及び送信原稿フォーム出力手段としての外部インタフェース２９は、ＭＦＰ１と外部記録媒体としてのパーソナルコンピュータ（ＰＣ）３、ディジタルスチルカメラ（ＤＳＣ）４等の外部システムとの通信を制御する入出力機構であって、ＵＳＢコネクタやＵＳＢコントローラなどで構成される。Ｂｌｕｅｔｏｏｔｈ、ＩｒＤＡ通信を制御するためのコントローラを備えていてもよい。ＰＣ３及びＤＳＣ４のユーザはＰＣ３及びＤＳＣ４を介してＭＦＰ１に画像データの印刷要求を入力することができる。ＰＣ３及びＤＳＣ４から画像データの印刷要求が入力されると、ＰＣ３及びＤＳＣ４が保持している画像データがＭＦＰ１に入力され、ＭＦＰ１は入力された画像データに基づいて印刷を実行する。
【００１５】
入力手段及び送信原稿フォーム出力手段としてのリムーバブルメモリコントローラ（ＲＭＣ）２６は図示しないコネクタに接続される外部記録媒体としてのリムーバブルメモリ２８に格納されている画像データ等を読み出したり、リムーバブルメモリ２８に画像データなどを書き込んだりする入出力機構である。
【００１６】
通信手段としてのファクシミリユニット２４は、公衆電話網と接続するためのＮＣＵ（Network Control Unit）送受信データの変復調を行うモデム、ＩＴＵ−Ｔ勧告に従ってプロトコル制御を行うプロトコル制御部、送受信データを一時的に蓄積するバッファメモリなどを有する。ファクシミリユニット２４は、公衆電話網を介して、他のファクシミリ装置２にファクシミリデータを送信し、他のファクシミリ装置２からファクシミリデータを受信する。モノクロのファクシミリデータはＧ３ファクシミリ等に準拠した二値の画像データであり、カラーのファクシミリデータはＪＰＥＧフォーマットの画像データである。
【００１７】
入力手段としてのスキャンユニット２２は、リニアイメージセンサ、リニアイメージセンサの駆動回路、照明装置、結像光学系、ＡＤ変換器等で構成されている。尚、スキャンユニット２２は、フラットベッド型でもよいし、シートフィード型でもよいし、ハンディ型でもよい。リニアイメージセンサは、密着型でもよいし、レンズ縮小型でもよい。
合成画像印刷手段及び送信原稿フォーム出力手段としての画像処理ユニット２０は、画像データから印刷データを生成するためのガンマ補正、解像度変換、分版処理、ハーフトーニング、インタレース処理等を高速に実行するためのＤＳＰである。
プリントユニット１８は、インクジェット方式で用紙に画像を形成するための記録ヘッド、記録ヘッドを往復運動させる駆動機構、給排紙機構等を備える。プリントユニット１８の印刷方式は、レーザ方式、サーマル方式、ドットインパクト方式等でも良い。
以上、ハードウェア構成について説明した。
【００１８】
次に、装飾画像データについて説明する。
図３は、装飾画像データの一例を示す模式図である。装飾画像データ７０上には任意の画像が合成される合成領域７１が定義されている。この合成領域７１は装飾画像データ７０に付加されている図示しない領域定義情報によって定義されている。領域定義情報は、装飾画像データ７０の各画素についてその画素が合成領域７１を構成する画素であるか否かを表す情報である。領域定義情報は装飾画像データ７０の各画素にそれぞれ持たせてもよいし、装飾画像データ７０とは別のファイルに格納してもよい。尚、領域定義情報は装飾画像データ７０を構成する各画素の透過率を表す所謂αチャンネルデータであってもよい。領域定義情報がαチャンネルデータである場合、透過率に基づく割合で、対象となる画像データの画素と装飾画像データ７０の画素とが合成される。
【００１９】
次に、合成画像データを生成するための定義情報が記述されているスクリプトについて説明する。
図４は、スクリプトの一例を示す模式図である。図５（Ａ）は図４に示したスクリプトに基づく印刷を説明するための模式図であり、図５（Ｂ）は図４に示したスクリプトに基づいて印刷された結果を示す模式図である。
図４に示すように、スクリプトには例えば印刷媒体のサイズ（例えば「ハガキ」）、印刷媒体の向き（例えば「縦長」）、印刷媒体に任意の画像データを割り付ける画像枠（例えば右上座標（Ｘ１，Ｙ１）と枠の左下座標（Ｘ２，Ｙ２））、その画像枠に画像データを割り付けるときの画像データの向き（例えば「縦」）、当該画像枠に割り付けられる装飾画像データのファイル名（例えば「装飾画像００１．ｅｆｆ」）、その画像枠に装飾画像データを割り付けるときの装飾画像データの向き（例えば「縦」）などが定義されている。画像枠は印刷媒体に任意の画像データを割り付けるレイアウトを定義するものであり、すなわち図４に示すスクリプトは任意の画像データが合成されるテンプレート画像を定義している情報であるとともに、印刷媒体に任意の画像データを割り付けるレイアウトを定義している情報でもある。尚、スクリプトはＭＦＰ１の製造元が作成して配布したものを用いることもできるし、ユーザが自由に作成したものを用いることもできる。また、スクリプトはＭＦＰ１に固有の言語で記述してもよいし、ＸＭＬやＸＨＴＭＬ等の規格化されている言語で記述してもよい。
図５（Ａ）及び図５（Ｂ）に示すように、画像データはその画像データが割り付けられる画像枠に割り付けられる装飾画像データの合成領域に合成され、合成された画像データが当該画像枠に割り付けられる。
【００２０】
次に、送信原稿フォームについて説明する。
図６は、送信原稿フォームの一例を示す模式図である。送信原稿フォームとしてのアンケートフォーム１９０には、識別マークとしてのバーコード画像１９２が割り付けられている。バーコード規格には様々な種類があり、本実施形態で使用されるバーコードはそのいずれかに限定されるものではなく、独自の規則に従って生成されるものであってもよい。但し、アンケートフォーム１９０に割り付けられているバーコードを生成するために使用される規則は、ＣＰＵ１０が識別情報として使用することができるように予めフラッシュメモリ１２に記憶されている。ＲＭＣ２６や外部インタフェース２９を介してＭＦＰ１に入力されてもよい。アンケートフォーム１９０は、例えば、ＰＣ３で動作する所定のアンケートフォーム作成アプリケーションを用いて作成される。アンケートフォーム作成アプリケーションは、ＭＦＰ１と共通するバーコード規則に従ってバーコードを生成し、アンケートフォーム画像データに割り付ける機能を有する。また、アンケートフォーム作成アプリケーションでは、解析対象である複数のチェックボックスを含む解析対象領域の位置が、アンケートの設問の項目数や項目毎のチェックボックスの個数等と対応して予め決められている。尚、識別マークは、２次元コードやその他のマークであってもよい。
【００２１】
図７及び図８は、アンケートフォームの種別と装飾画像データとの対応付けを登録するための画面遷移の一例を示す図である。
画面１００は、設定項目を選択するための画面である。この画面が表示されている状態で「１．アンケートフォーム登録」が選択されると、ＣＰＵ１０は画面１０２に画面を遷移させる。
画面１０２は、装飾画像データを合成するアンケートフォームの種別を識別するための識別情報（バーコードＩＤ）を入力するための画面の一例である。画面１０２は、例えば図示しないテンキーを用いて識別番号の入力を促す画面である。ユーザがバーコードＩＤを入力すると、ＣＰＵ１０は画面１０４に画面を遷移させる。
【００２２】
画面１０４は、チェックボックスの個数を入力する画面である。チェックボックスの個数が入力されると、解析パターンが決定される。すなわち例えば、チェックボックスの個数として「５」が入力されると、図９に示すような５つの領域１７０、１７２、１７４、１７６、１７８が解析対象領域として設定される。アンケートの設問数等に応じてさらに詳細に設定してもよい。画面１０４では、チェックボックスの個数を入力するのではなく、チェックボックスのレイアウトパターンを画面に列挙して表示し、それをユーザに選択させるようにしてもよい。いずれのインタフェースが採用された場合も、解析パターンが決定されると、ＣＰＵ１０は画面１０６に画面を遷移させる。
【００２３】
画面１０６、１０８、１１０は、チェックボックス毎にスクリプトを対応付けるための画面である。全てのチェックボックスに異なるスクリプトを対応付けたり、特定のチェックボックスだけにスクリプトを対応付けたり、ユーザは自由に対応付けを登録することができる。画面１０８には、フラッシュメモリ１２に記憶されているスクリプトのファイル名及びリムーバブルメモリ２８に記憶されているスクリプトのファイル名が一覧表示される。尚、例えば通信ネットワークに接続可能な場合は所定のサーバに記憶されているスクリプトのファイル名を表示してもよい。リムーバブルメモリ２８やサーバに格納されているスクリプトを表示するようにすると、選択対象のスクリプトをより自由に増やすことができる。また、既に説明したように、スクリプトには、装飾画像データのファイル名が記載されているので、バーコードＩＤと解析パターンとスクリプトとを対応付けると、合成する装飾画像データも対応付けられたことになる。
【００２４】
以上説明したような画面遷移にしたがってユーザが対応付けを入力すると、図１０に示すように、バーコードＩＤと解析パターンとスクリプトとが対応付けられてテーブルに格納される。このテーブルはフラッシュメモリ１２に記憶され、ＭＦＰ１への電力供給が遮断されても保持される。また、画面１０８でリムーバブルメモリ２８に記憶されているスクリプトが選択された場合は、選択されたスクリプトがリムーバブルメモリ２８からフラッシュメモリ１２にコピーされる。リムーバブルメモリ２８に記憶されているスクリプトが選択された場合、ファクシミリ受信したときにそのリムーバブルメモリ２８が図示しないカードスロットに接続されていないこともあり得る。リムーバブルメモリ２８に記憶されているスクリプトが選択された場合は、そのスクリプトがフラッシュメモリ１２にコピーされるようにすると、いつファクシミリ受信しても選択されたスクリプトに基づいて印刷を行うことができる。
【００２５】
図１０は、上述したテーブルの一例を示す模式図である。画面１０２で入力されたバーコードＩＤと、画面１０４で入力された内容に基づいて決定された解析パターンと、画面１０６及び１０８で入力されたスクリプトとが対応付けられて記憶されている。解析パターンには、例えば図９に示すようにどのチェックボックスにチェックがされているかを解析するための解析対象領域１７０、１７２、１７４、１７６、１７８の座標が記憶されている。尚、上記のようにバーコードＩＤとチェックボックス番号とに応じてスクリプトを割り付けてもよいし、例えば、バーコードＩＤのみに応じてスクリプトを割り付けてもよい。その場合、前述の画面遷移では画面１０４と画面１０６とが省略される。
【００２６】
次に、ＭＦＰ１がファクシミリデータを受信して印刷する処理について説明する。
図１１は、ＭＦＰ１がファクシミリデータを受信して印刷する処理の流れを示すフローチャートである。本処理はファクシミリユニット２４が着呼を検出すると開始される。
【００２７】
ステップＳ１００では、ファクシミリユニット２４は着呼に応答して回線接続を行う。この回線接続ではファクシミリユニット２４と送信元の機器との間で所定のファクシミリ通信手順に従ってネゴシエーションが行われる。このネゴシエーションにおいてファクシミリユニット２４は送信元の電話番号、画像サイズ、色情報などの受信条件を送信元のファクシミリ装置から取得する。
【００２８】
ステップＳ１０２では、ファクシミリユニット２４はファクシミリデータを受信する。
ステップＳ１０４では、ファクシミリユニット２４は回線接続を切断する。
ステップＳ１０６では、受信画像データが解析される。具体的には、例えば識別マーク領域１８０（図９参照）の画像データが識別情報に基づいて解析され、バーコードＩＤが検出される。このときバーコードＩＤとして「１２３４５」が検出されたものとして、以降の説明を続ける。
【００２９】
ステップＳ１０８では、検出されたバーコードＩＤが登録されているＩＤであるか判定される。具体的には、前述のテーブルに記憶されているバーコードＩＤのいずれかと一致するか判定される。登録されているいずれかのＩＤと一致する場合は、ステップＳ１１０に進み、登録されているＩＤと一致しない場合は、ステップＳ１１４に進む。
ステップＳ１１０では、解析対象領域が解析される。具体的には、ステップＳ１０６で検出されたバーコードＩＤと対応付けられている解析パターンに基づいて、解析対象領域の画像データが解析される。ここで例えば図９に示すような５つのチェックボックスのうち、一番上の解析対象領域１７０内のチェックボックスにチェックされていることが判定されたとして説明を続ける。
【００３０】
ステップＳ１１２では、解析結果に対応する装飾画像データが合成される。具体的には例えば、ステップＳ１１０での解析結果から、図１０に示すテーブルの「チェックボックス＃１」と対応付けられて記憶されている「スクリプト００１．ｕｓｄ」が読み込まれる。受信画像データが、上記のスクリプトで定義されている装飾画像データの合成領域に合成され合成画像データが生成される。次に、生成された合成画像データがＲＡＭ１４上に仮想的に再現されている印刷領域に、上記のスクリプトで定義されているレイアウトに従って割り付けられる。
【００３１】
ステップＳ１１４では、ＲＡＭ１４上の仮想的な印刷領域に格納されている画像データに基づいてプリントユニット１８が印刷媒体に画像を印刷する。前述のテーブルに対応付けが記憶されていないバーコードＩＤが割り付けられているデータや、その他のアンケートフォーム以外の原稿を受信した場合は、従来のファクシミリ装置と同様に所定のレイアウトで印刷媒体に印刷される。
【００３２】
図１（Ａ）および（Ｂ）は、印刷結果の一例を示す模式図である。図１は、製品アンケートとして５段階の評価のうちのいずれかが選択されたアンケートをファクシミリ受信した際の例である。図１に示すように、アンケートの回答内容に応じて、受信画像データ２００と受信画像データ２０６とにそれぞれ異なる装飾画像データ２０２、２０８が合成されて印刷される。これにより、ＭＦＰ１のユーザは、装飾画像の違いによって受信原稿の内容を一目で判別することができる。尚、例えばプリントユニット１８がカラー画像を印刷可能な場合は、受信画像データの解析結果に応じて装飾画像データの色を変えることもできる。装飾画像データの色を変えると、ユーザは受信原稿の内容を色によって容易に判別できるので、ファクシミリ受信したデータが印刷されている印刷媒体をより容易に仕分けできる。
【００３３】
尚、アンケートフォームは、前述のように所定のアンケートフォーム作成アプリケーションを用いて作成されたものでなくてもよい。例えば、任意のレイアウトで作成され印刷されたアンケートフォームをスキャンユニット２２から入力させる。次に、読み取ったアンケートフォーム画像データをＬＣＤユニット１６に表示させ、アンケートフォーム画像データ中の解析対象領域を操作ユニット２７を用いてユーザに選択させることによって解析パターンを入力させる。そして、解析対象領域の解析結果に応じたスクリプトの対応付けと、そのアンケートフォームに付与するバーコードＩＤとを入力させるようにしてもよい。ＭＦＰ１は入力されたバーコードＩＤに基づいてバーコード画像データを生成し、アンケートフォーム画像データに割り付け、バーコード画像データが割り付けられたアンケートフォーム画像データをプリントユニット１８に印刷させてもよい。任意のレイアウトで作成されたアンケートフォームは外部インタフェース２９やリムーバブルメモリ２８からＭＦＰ１に入力されてもよい。バーコード画像が割り付けられたアンケートフォーム画像データはファクシミリユニット２４によって他のファクシミリ装置２に送信されてもよいし、電子データとしてＲＭＣ２６や外部インタフェース２９を介して出力されてもよい。以上のようにして、他のファクシミリ装置から送信されたアンケートを容易に仕分けするために使用するアンケートフォームをユーザは作成することができる。
【００３４】
本発明は、上記実施形態に限定されるものではなく、その要旨を逸脱しない範囲で種々の実施形態に適用可能である。例えば、ファクシミリ受信したマークシート形式の答案を識別マークとそれに対応する解析パターン及び各問題の正誤情報とを対応付けて記憶し、その対応付けに基づいて採点した結果の点数を示す数字を合成して印刷するようにしてもよい。
【図面の簡単な説明】
【００３５】
【図１】本発明の一実施例に係る印刷を示す模式図。
【図２】本発明の一実施例に係るファクシミリ装置のブロック図。
【図３】本発明の一実施例に係る装飾画像データの一例を示す模式図。
【図４】本発明の一実施例に係るスクリプトの一例を示す模式図。
【図５】本発明の一実施例に係るスクリプトに基づく印刷を説明するための図。
【図６】本発明の一実施例に係る送信原稿フォームの一例を示す模式図。
【図７】本発明の一実施例に係る画面遷移図。
【図８】本発明の一実施例に係る画面遷移図。
【図９】本発明の一実施例に係る模式図。
【図１０】本発明の一実施例に係るテーブルの模式図。
【図１１】本発明の一実施例に係るフローチャート。
【符号の説明】
【００３６】
１：マルチファンクションプリンタ（ファクシミリ装置）、１０：ＣＰＵ（解析手段、合成画像データ生成手段、合成画像印刷手段、送信原稿フォーム画像データ生成手段、送信原稿フォーム出力手段）、１２：フラッシュメモリ、１４：ＲＡＭ、１６：ＬＣＤユニット、１８：プリントユニット、２０：画像処理ユニット（合成画像印刷手段、送信原稿フォーム出力手段）、２２：スキャンユニット（入力手段）、２４：ファクシミリユニット（通信手段）、２６：ＲＭＣ（入力手段、送信原稿フォーム出力手段）、２７：操作ユニット（入力手段）、２９：外部インタフェース（入力手段、送信原稿フォーム出力手段）、７０：装飾画像データ、７１：合成領域、１７０、１７２、１７４、１７６、１７８：解析対象領域、１８０：識別マーク領域
【図１】
2007281835.tif 000003
【図２】
2007281835.tif 000004
【図３】
2007281835.tif 000005
【図４】
2007281835.tif 000006
【図５】
2007281835.tif 000007
【図６】
2007281835.tif 000008
【図７】
2007281835.tif 000009
【図８】
2007281835.tif 000010
【図９】
2007281835.tif 000011
【図１０】
2007281835.tif 000012
【図１１】
2007281835.tif 000013